(57)【要約】【課題】電磁石部分の側の寸法を安定させる。【解決手段】電磁石ブロック１０とベースブロック２０とにブロック化し、特に電磁石ブロック１０が、柱状の可動鉄芯１１と、この可動鉄芯１１を内部に収納する筒状のボビン１２と、このボビン１２の側周部に巻設された巻線１３と、継鉄１５と、この継鉄１５を介して、巻線１３が巻設されたボビン１２を保持するとともに、そのボビン１２内に可動鉄芯１１を進退自在の状態で保持するカバー１８とを備える構成にした。【選択図】  図１
2004235109.tif 000002
【特許請求の範囲】
【請求項１】
電磁石ブロックとベースブロックとにブロック化し、これら電磁石ブロックとベースブロックとを固定してなる高周波スイッチであって、
前記電磁石ブロックは、柱状の可動鉄芯と、この可動鉄芯を内部に収納する筒状のボビンと、このボビンの側周部に巻設された巻線と、継鉄と、この継鉄を介して、前記巻線が巻設された前記ボビンを保持するとともに、そのボビン内に前記可動鉄芯を進退自在の状態で保持するカバーとを備える一方、
前記ベースブロックは、前記ボビン内の可動鉄芯の収納空間と連通する第１収納室、およびこの第１収納室に対し、隔壁で隔てられその隔壁に穿設された孔を介して連通する第２収納室を有するベースと、前記第１収納室に収納され、先端部が前記孔を介して前記第２収納室内に突出し前記可動鉄芯の動きに応じて進退自在となるカードを含む可動部と、前記第２収納室に収納され、前記カードの先端部に取り付けられた可動接点とを備えるとともに、前記第２収納室内に挿入された一端が前記可動接点と接離する端子部を少なくとも一対備える
ことを特徴とする高周波スイッチ。
【請求項２】
前記可動部は、前記カードとして、基部から二股に分かれた一対の架橋部をさらに有する第１カードを含むとともに、この第１カードの一対の架橋部で保持される平板矩形状のカードバネと、このカードバネおよび前記可動鉄芯間に介設される第２カードと、前記一対の架橋部と前記ベースの隔壁との間に介設され、前記第１カードおよび前記カードバネを介して前記第２カードを前記可動鉄芯側に付勢する一対の復帰バネとを含み、
前記可動接点は、前記可動鉄芯の退避時に前記一対の復帰バネにより前記可動鉄芯側に付勢される場合に、前記ベースの隔壁に圧接しても撓みの生じないような厚み寸法に設定されている
ことを特徴とする請求項１記載の高周波スイッチ。
【請求項３】
前記カードの基部の部分は、前記一対の架橋部に対して、凹所になっており、前記カードバネは前記基部側に屈曲するように塑性変形されていることを特徴とする請求項２記載の高周波スイッチ。
【請求項４】
前記一対の架橋部の各々には凸部が形成されている一方、前記カードバネの両端の各々には前記凸部が填り込む長孔が穿設されていることを特徴とする請求項２または３記載の高周波スイッチ。
【請求項５】
前記電磁石ブロックは、前記第２カードを挿通する孔を有する固定鉄芯をさらに備え、
前記継鉄は、前記固定鉄芯を嵌入するための孔が穿設された中央部に対して両端部が同一方向に屈曲する断面コ字状に形成され、
前記ベースには、調整時に当該ベースと前記固定鉄芯との間にスペーサを挿入するための凹部が形成されている
ことを特徴とする請求項２から４のいずれかに記載の高周波スイッチ。
【請求項６】
前記カードは成形品であり、
前記カードの先端部と前記可動接点との取付構造は、複数の角を持ち表裏逆入れ防止機能を有する凹凸嵌合構造になっており、
前記可動接点は、前記表裏逆入れ防止機能による構造の非対称性によるインピーダンスのずれを補正するために幅寸法が調整されているとともに、前記カードの先端部が当たる部分にローレット加工が施されている
ことを特徴とする請求項１から５のいずれかに記載の高周波スイッチ。
【請求項７】
前記端子部は、コンタクト端子と、これを一体に保持するコンタクト端子ブロック本体とによりなるインサート成形部品のコンタクト端子ブロックであり、前記コンタクト端子ブロック本体は液晶ポリマー樹脂によりなることを特徴とする請求項１から６のいずれかに記載の高周波スイッチ。
【請求項８】
前記ベースは、前記第２収納室側の底面から各側面が立設される角状に形成され、底面および一の側面に当該ベース取付用のねじ孔を有し、
前記一対の端子部における前記一端と導通する他端は、それぞれ前記ベースの一の側面の両側側の側面から外部に突出する断面四角状の角ピンになっている
ことを特徴とする請求項１から７のいずれかに記載の高周波スイッチ。
【請求項９】
前記電磁石ブロックは、前記ボビンの側周部の一部に挿通される輪状の継鉄または磁石をさらに備えることを特徴とする請求項１から８のいずれかに記載の高周波スイッチ。
【請求項１０】
前記可動鉄芯にはフッ素コーティング加工が施され、
前記ボビン、第１カードおよび第２カードの各々は、フッ素添加の液晶ポリマー樹脂によりなる
ことを特徴とする請求項１から８のいずれかに記載の高周波スイッチ。
【請求項１１】
請求項７記載の高周波スイッチの設計方法であって、設計時に、前記コンタクト端子ブロックのコンタクト端子を抜き加工により幅寸法を変更し、前記コンタクト端子ブロック本体の誘電率に合わせて前記コンタクト端子の幅を最適化することを特徴とする高周波スイッチの設計方法。
【発明の詳細な説明】
【０００１】
【発明の属する技術分野】
本発明は、例えば高周波伝送線に使用される高周波スイッチおよびこの設計方法に関するものである。
【０００２】
【従来の技術】
図１６は従来の高周波スイッチを示す断面図である。
【０００３】
この図の高周波スイッチＡは、可動鉄芯Ａ１１と、これを内部に収納するボビンＡ１２と、この側周部に巻設された巻線Ａ１３と、固定鉄芯Ａ１４と、継鉄Ａ１５，Ａ１６と、これらを覆うカバーＡ１８と、ベースＡ２１と、この収納室内に設けられるカードＡ２２と、これと可動鉄芯Ａ１１との間に設けられるカードＡ２４と、カードＡ２２を可動鉄芯Ａ１１側に付勢する復帰ばねＡ２５と、カードＡ２２に取り付けられた可動接点Ａ２６と、これに接離するコンタクト端子Ａ２７１を有するコンタクト端子ブロックＡ２７と、サブベースＡ２８とにより構成されている。なお、Ｂ１はねじ、Ｌはリード線、Ａ２９は復帰ばね保持部材である。
【０００４】
図１７は別の従来の高周波スイッチを示す断面図である。
【０００５】
この図の高周波スイッチＢは、可動鉄芯Ｂ１１と、これを内部に収納するボビンＢ１２と、この側周部に巻設された巻線Ｂ１３と、固定鉄芯Ｂ１４と、継鉄Ｂ１５，Ｂ１６と、プレートＢ１７と、ベースＢ２１と、この収納室内に設けられるカードＢ２２と、これと可動鉄芯Ｂ１１との間に設けられるカードＢ２４と、カードＢ２２を可動鉄芯Ｂ１１側に付勢する復帰ばねＢ２５と、カードＢ２２に取り付けられた可動接点Ｂ２６と、これに接離するコンタクト端子Ｂ２７１を有するコンタクト端子ブロックＢ２７と、サブベースＢ２８とにより構成されている。
【０００６】
なお、特許文献１には、外部との接続用の端子部が同軸端子になっているソレノイドを利用したスイッチが開示されている。
【０００７】
また、特許文献２には、プリント基板と電磁ブロックとの接続の作業性とプリント基板の取り付け作業性が良く、取り付け精度も高い同軸リレーが開示されている。
【０００８】
【特許文献１】
特開２０００−３３１５８７号公報
【特許文献２】
特開２０００−３０６４７９号公報
【０００９】
【発明が解決しようとする課題】
しかしながら、上記従来の高周波スイッチＡ，Ｂでは、電磁石部分の各部品がベースに積み上げられていく構造であるため、電磁石部分の側の寸法が不安定になるという問題があった。
【００１０】
本発明は、上記事情に鑑みてなされたものであり、電磁石部分の側の寸法を安定させることができる高周波スイッチおよびこの設計方法を提供することを目的とする。
【００１１】
【課題を解決するための手段】
上記課題を解決するための請求項１記載の発明は、電磁石ブロックとベースブロックとにブロック化し、これら電磁石ブロックとベースブロックとを固定してなる高周波スイッチであって、前記電磁石ブロックは、柱状の可動鉄芯と、この可動鉄芯を内部に収納する筒状のボビンと、このボビンの側周部に巻設された巻線と、継鉄と、この継鉄を介して、前記巻線が巻設された前記ボビンを保持するとともに、そのボビン内に前記可動鉄芯を進退自在の状態で保持するカバーとを備える一方、前記ベースブロックは、前記ボビン内の可動鉄芯の収納空間と連通する第１収納室、およびこの第１収納室に対し、隔壁で隔てられその隔壁に穿設された孔を介して連通する第２収納室を有するベースと、前記第１収納室に収納され、先端部が前記孔を介して前記第２収納室内に突出し前記可動鉄芯の動きに応じて進退自在となるカードを含む可動部と、前記第２収納室に収納され、前記カードの先端部に取り付けられた可動接点とを備えるとともに、前記第２収納室内に挿入された一端が前記可動接点と接離する端子部を少なくとも一対備えることを特徴とする。
【００１２】
請求項２記載の発明は、請求項１記載の高周波スイッチにおいて、前記可動部は、前記カードとして、基部から二股に分かれた一対の架橋部をさらに有する第１カードを含むとともに、この第１カードの一対の架橋部で保持される平板矩形状のカードバネと、このカードバネおよび前記可動鉄芯間に介設される第２カードと、前記一対の架橋部と前記ベースの隔壁との間に介設され、前記第１カードおよび前記カードバネを介して前記第２カードを前記可動鉄芯側に付勢する一対の復帰バネとを含み、前記可動接点は、前記可動鉄芯の退避時に前記一対の復帰バネにより前記可動鉄芯側に付勢される場合に、前記ベースの隔壁に圧接しても撓みの生じないような厚み寸法に設定されていることを特徴とする。
【００１３】
請求項３記載の発明は、請求項２記載の高周波スイッチにおいて、前記カードの基部の部分は、前記一対の架橋部に対して、凹所になっており、前記カードバネは前記基部側に屈曲するように塑性変形されていることを特徴とする。
【００１４】
請求項４記載の発明は、請求項２または３記載の高周波スイッチにおいて、前記一対の架橋部の各々には凸部が形成されている一方、前記カードバネの両端の各々には前記凸部が填り込む長孔が穿設されていることを特徴とする。
【００１５】
請求項５記載の発明は、請求項２から４のいずれかに記載の高周波スイッチにおいて、前記電磁石ブロックは、前記第２カードを挿通する孔を有する固定鉄芯をさらに備え、前記継鉄は、前記固定鉄芯を嵌入するための孔が穿設された中央部に対して両端部が同一方向に屈曲する断面コ字状に形成され、前記ベースには、調整時に当該ベースと前記固定鉄芯との間にスペーサを挿入するための凹部が形成されていることを特徴とする。
【００１６】
請求項６記載の発明は、請求項１から５のいずれかに記載の高周波スイッチにおいて、前記カードは成形品であり、前記カードの先端部と前記可動接点との取付構造は、複数の角を持ち表裏逆入れ防止機能を有する凹凸嵌合構造になっており、前記可動接点は、前記表裏逆入れ防止機能による構造の非対称性によるインピーダンスのずれを補正するために幅寸法が調整されているとともに、前記カードの先端部が当たる部分にローレット加工が施されていることを特徴とする。
【００１７】
請求項７記載の発明は、請求項１から６のいずれかに記載の高周波スイッチにおいて、前記端子部は、コンタクト端子と、これを一体に保持するコンタクト端子ブロック本体とによりなるインサート成形部品のコンタクト端子ブロックであり、前記コンタクト端子ブロック本体は液晶ポリマー樹脂によりなることを特徴とする。
【００１８】
請求項８記載の発明は、請求項１から７のいずれかに記載の高周波スイッチにおいて、前記ベースは、前記第２収納室側の底面から各側面が立設される角状に形成され、底面および一の側面に当該ベース取付用のねじ孔を有し、前記一対の端子部における前記一端と導通する他端は、それぞれ前記ベースの一の側面の両側側の側面から外部に突出する断面四角状の角ピンになっていることを特徴とする。
【００１９】
請求項９記載の発明は、請求項１から８のいずれかに記載の高周波スイッチにおいて、前記電磁石ブロックは、前記ボビンの側周部の一部に挿通される輪状の継鉄または磁石をさらに備えることを特徴とする。
【００２０】
請求項１０記載の発明は、請求項１から８のいずれかに記載の高周波スイッチにおいて、前記可動鉄芯にはフッ素コーティング加工が施され、前記ボビン、第１カードおよび第２カードの各々は、フッ素添加の液晶ポリマー樹脂によりなることを特徴とする。
【００２１】
請求項１１記載の発明は、請求項７記載の高周波スイッチの設計方法であって、設計時に、前記コンタクト端子ブロックのコンタクト端子を抜き加工により幅寸法を変更し、前記コンタクト端子ブロック本体の誘電率に合わせて前記コンタクト端子の幅を最適化することを特徴とする。
【００２２】
【発明の実施の形態】
（第１実施形態）
図１は本発明による第１実施形態の高周波スイッチの断面図、図２は同高周波スイッチの分解斜視図、図３は図１，図２中のベースを上方から見た斜視図、図４は同ベースを下方から見た図である。
【００２３】
第１実施形態の高周波スイッチは、ＳＰＳＴ（１極１常開接点）スイッチであり、図１，図２に示すように、電磁石ブロック１０と、ベースブロック２０とを備え、これらがねじＢ１（Ｍ２ねじ）でねじ止め固定された単品仕様の部品となっている。
【００２４】
電磁石ブロック１０は、給電によるコイル（巻線１３）の励磁によって可動鉄芯１１を固定鉄芯１４側に移動させるソレノイドであり、可動鉄芯１１と、絶縁性（樹脂製）のボビン１２と、巻線１３と、固定鉄芯１４と、継鉄１５，１６，１６と、金属製のプレート１７と、金属製のカバー１８とを備えている。
【００２５】
可動鉄芯１１は、円柱状に形成され、ベースブロック２０側の先端部１１０が固定鉄芯１４の開口１４ａ側に填り込む円錐台状に形成されている。
【００２６】
ボビン１２は、可動鉄芯１１を進退自在に内部に収納する円筒状に形成され、一端（図では下端）および他端側側周部にそれぞれ平角状のフランジ１２０，１２１を有し、一端に開口１４ａ側の固定鉄芯１４の一部が挿入されるようになっている。
【００２７】
巻線１３は、絶縁被覆（被膜）を持つ導体線をボビン１２のフランジ１２０，１２１間の側周部に巻設してなり、両端が、例えば図示しない外部装置の一対の出力端子または外部装置との接続用の一対の端子に接続される。
【００２８】
固定鉄芯１４は、円状の開口１４ａを持ち、可動鉄芯１１の先端部１１０が丁度填り込む椀状に形成され、底面１４０の外周に嵌入ストッパとして機能する円状のフランジ１４１を有しているとともに、底面１４０の中心部に孔１４０ａを有している。
【００２９】
継鉄１５は、固定鉄芯１４を嵌入固定するための孔１５０ａが穿設された中央部１５０に対し、両端部１５１，１５１が同一方向（図では上方）に屈曲する断面コ字状に形成されている。また、各端部１５１には、被狭持部１５１ａとしての凹部が両側の各々に形成されている一方、固定部１５１ｂとしての凹部が先端に形成されている。
【００３０】
継鉄１６は、平角リング状に形成され、ボビン１２における他端とフランジ１２１との間の側周部に挿入されるようになっている。
【００３１】
プレート１７は、中央部１７０に対し、両端部１７１，１７１が継鉄１５の両端部１５１，１５１間に填り込むように同一方向（図では下方）に屈曲する断面コ字状に形成されている。また、中央部１７０の両側には、被固定部１７０ａとして、継鉄１５の固定部１５１ｂに凹凸嵌合する凸部が形成されている。
【００３２】
カバー１８は、固定鉄芯１４が嵌入固定された継鉄１５を介して、巻線１３が巻設されたボビン１２を保持するとともに、そのボビン１２内に可動鉄芯１１を進退自在の状態で保持するものであり、中央部１８０に対し、両端部１８１，１８１がそれぞれ継鉄１５の両端部１５１，１５１を挟み込むように同一方向（図では下方）に屈曲する断面コ字状に形成されている。また、各端部１８１には、狭持部１８１ａとして、内側に屈曲されたときに継鉄１５の被狭持部１５１ａと凹凸嵌合する凸部が両側の各々に形成されている一方、フランジ１８２が先端に外向きに立設されている。各フランジ１８２には、ねじＢ１の足部挿通用の挿通孔１８２ａが穿設されている。
【００３３】
このように構成される電磁石ブロック１０は、種々の手順で組み立てることができるが、その一の手順例について説明する。先ず、固定鉄芯１４の開口１４ａが継鉄１５の両端部１５１，１５１間に来るように、固定鉄芯１４を継鉄１５の中央部１５０の孔１５０ａに嵌入固定する。
【００３４】
続いて、フランジ１２０，１２１間に巻線１３が巻設され、固定鉄芯１４の開口１４ａ側に先端部１１０が填り込むように可動鉄芯１１が挿入されたボビン１２を、フランジ１２０が継鉄１５の中央部１５０に対面するようにして継鉄１５の両端部１５１，１５１間に収める。この時またはこの後、ボビン１２の他端およびフランジ１２１間に継鉄１６，１６を挿入する。
【００３５】
続いて、プレート１７の両端部１７１，１７１が継鉄１５の両端部１５１，１５１間に填り込むようにして、プレート１７の各被固定部１７０ａと継鉄１５の各固定部１５１ｂとを凹凸嵌合する。
【００３６】
続いて、カバー１８の中央部１８０がプレート１７の中央部１７０と対面するようにして、カバー１８の両端部１８１，１８１で継鉄１５の両端部１５１，１５１を挟み込み、カバー１８の各狭持部１８１ａを内側に屈曲して、カバー１８の各狭持部１８１ａと継鉄１５の各被狭持部１５１ａとを凹凸嵌合する。これにより、一体部品としての電磁石ブロック１０の組立てが完了する。
【００３７】
ベースブロック２０は、導電性（金属製）のベース２１と、可動部ＭＰと、可動接点２６と、一対のコンタクト端子ブロック２７，２７と、導電性（金属製）のサブベース２８とを備え、可動接点２６が可動部ＭＰを介して可動鉄芯１１からオン／オフの駆動力を受けて一対のコンタクト端子ブロック２７に接離することにより、外部の伝送経路を接続ないし遮断するものである。
【００３８】
ベース２１は、図１〜図４に示すように、上面２１１および底面２１２間に複数の側面（図では８面）を有する角状に形成され、固定鉄芯１４の孔１４０ａを介してボビン１２内の可動鉄芯１１の収納空間と連通する収納室Ｒ１を有しているとともに、収納室Ｒ１に対し、隔壁２１０で隔てられ隔壁２１０に穿設された孔２１０ａを介して連通する収納室Ｒ２を有している。また、収納室Ｒ１側の隔壁２１０には、一対の凹部２１０ｂ，２１０ｂが孔２１０ａの両側に形成されている。ベース２１の上面２１１には、ねじＢ１用のねじ穴２１１ａが収納室Ｒ１の両側に形成されている一方、ベース２１の底面２１２には、収納室Ｒ２を含む横断溝２１２ａが形成されている。また、ベース２１には、横断溝２１２ａの底部両側寄りに一対の固定用穴２１２ｂが形成され、横断溝２１２ａの開口縁部に嵌合用凹所２１２ｃが複数形成されている。
【００３９】
可動部ＭＰは、図１，図２に示すように、孔２１０ａを介して収納室Ｒ１から収納室Ｒ２内に突出する先端部２２１と、基部２２０から若干上方に向けて二股に分かれた一対の架橋部２２２，２２２とを有するＴ字状に形成され、各架橋部２２２のほぼ上下に凸部２２２ａ，２２２ｂを有する絶縁性（樹脂製）のカード２２を含んでいるほか、カードバネ２３と、絶縁性（樹脂製）のカード２４と、一対の復帰バネ２５，２５とを含んでいる。
【００４０】
カードバネ２３は、平板矩形状に形成され、カード２２の各凸部２２２ａに挿通される一対の孔２３ａ，２３ａを両端に有している。
【００４１】
カード２４は、円柱状に形成されてなり、カードバネ２３および可動鉄芯１１間に介設され、固定鉄芯１４の孔１４０ａに挿通されるようになっている。
【００４２】
一対の復帰バネ２５，２５は、ベース２１の収納室Ｒ１における一対の凹部２１０ｂ，２１０ｂにそれぞれ配置され、カード２２の一対の凸部２２２ｂ，２２２ｂが挿入された状態で、一対の架橋部２２２，２２２とベース２１の隔壁２１０との間に介在し、カード２２およびカードバネ２３を介してカード２４を可動鉄芯１１側に付勢するものである。
【００４３】
可動接点２６は、中央部２６０に孔２６０ａを有するＨ字状に形成され、孔２６０ａにカード２２の先端部２２１が挿入されて固定（熱着）され、ベース２１の収納室Ｒ２に収納される。また、可動接点２６は、可動鉄芯１１の退避時（電磁石ブロック１０の非動作時）に、一対の復帰バネ２５，２５によってカード２２が可動鉄芯１１側に付勢されることにより、ベース２１の隔壁２１０に圧接するため、このときに撓みが生じないように厚み寸法が０．３〜０．６ｍｍ程度に設定されている。
【００４４】
コンタクト端子ブロック２７は、可動接点２６と平板状の一端が接離するとともに角ピン状の他端が収納室Ｒ２から外部に突出するコンタクト端子２７１と、これを保持しベース２１の固定用穴２１２ｂに嵌入する突起２７０ａが一の面に形成された角状のコンタクト端子本体２７０とにより構成され、ベース２１の横断溝２１２ａの各片側に設けられることにより、下方に開口する収納室Ｒ２を形成する。
【００４５】
サブベース２８は、瓢箪状の輪郭を持つ平板矩形状に形成され、ベース２１の各嵌合用凹所２１２ｃに嵌合固定されることにより、下方に開口する収納室Ｒ２を閉塞し、ベース２１とともに一対のコンタクト端子ブロック２７を固定するものである。
【００４６】
このように構成されるベースブロック２０は、種々の手順で組み立てることができるが、その一の手順例について説明する。
【００４７】
先ず、ベース２１の一対の凹部２１０ｂ，２１０ｂにそれぞれ一対の復帰バネ２５，２５を配置し、これらにカード２２の一対の凸部２２２ｂ，２２２ｂを挿入するとともに、カード２２の先端部２２１をベース２１の孔２１０ａに挿入する。そして、ベース２１の収納室Ｒ２に突出したカード２２の先端部２２１を可動接点２６の孔２６０ａに挿通して固定（熱着）する。
【００４８】
続いて、ベース２１の横断溝２１２ａに一対のコンタクト端子ブロック２７を収容し、これらの一対の突起２７０ａ，２７０ａをそれぞれベース２１の一対の固定用穴２１２ｂ，２１２ｂに嵌入する。このとき、各コンタクト端子２７１の平板状の一端が収納室Ｒ２に収納されるようにする。そして、サブベース２８をベース２１の各嵌合用凹所２１２ｃに嵌合固定する。
【００４９】
続いて、カードバネ２３の各孔２３ａにカード２２の各凸部２２２ａを挿通する。これにより、ベースブロック２０の組立てがほぼ完了する。なお、凸部２２２ａを孔２３ａに挿通するとき、例えば凸部２２２ａの先端側を抜け防止手段として傘状につぶすようにしてもよい。
【００５０】
次に、上記構成の高周波スイッチの組立手順の一例について説明する。電磁石ブロック１０における固定鉄芯１４の孔１４０ａにカード２４を挿通した状態で、カバー１８の各フランジ１８２をベース２１の上面２１１に載置し、各フランジ１８２の挿通孔１８２ａとベース２１の各ねじ穴２１１ａとの位置合わせをした上で、一対のねじＢ１を用いて、電磁石ブロック１０をベース２１にねじ止め固定する。これにより、高周波スイッチの組立てが完了する。
【００５１】
次に、同高周波スイッチの動作について説明する。非動作（コイルの非励磁）時には、カード２２が一対の復帰バネ２５，２５により可動鉄芯１１側に付勢され、可動接点２６が隔壁２１０に圧着した状態となる。このとき、可動接点２６が一対のコンタクト端子２７１，２７１から離隔した状態となって、一対のコンタクト端子２７１，２７１間が電気的に遮断されることにより、外部の伝送経路が遮断される。
【００５２】
一方、磁束が、固定鉄芯１４から継鉄１５の中央部１５０，両端部１５１，１５１、継鉄１６，１６、可動鉄芯１１を通って固定鉄芯１４に還流するようにコイル（巻線１３）に給電をする動作時には、上記磁束の還流で発生する推力によって、可動鉄芯１１が固定鉄芯１４側に進出するので、カード２４およびカードバネ２３を介してカード２２が押されてその先端部２２１が進出し、先端部２２１に固定された可動接点２６が一対のコンタクト端子２７１，２７１に接触した状態となる。これにより、一対のコンタクト端子２７１，２７１間が電気的に接続され、外部の伝送経路が電気的に接続されることになる。
【００５３】
第１実施形態によれば、電磁石ブロック１０とベースブロック２０とにブロック化し、特に電磁石ブロック１０が、柱状の可動鉄芯１１と、この可動鉄芯１１を内部に収納する筒状のボビン１２と、このボビン１２の側周部に巻設された巻線１３と、継鉄１５と、この継鉄１５を介して、巻線１３が巻設されたボビン１２を保持するとともに、ボビン１２内に可動鉄芯１１を進退自在の状態で保持するカバー１８とを備える構成にしたので、電磁石部分が電磁石ブロック１０として一体となるため、電磁石部分の側の寸法を安定させることができる。また、可動鉄芯１１の軸方向のばらつきが少なくなり、動作特性を安定させることができるとともに、生産性を向上させることができる。
【００５４】
また、可動部ＭＰは、先端部２２１が収納室Ｒ２内に突出するカードとして、基部２２０から二股に分かれた一対の架橋部２２２，２２２をさらに有するカード２２と、このカード２２の一対の架橋部２２２，２２２で保持される平板矩形状のカードバネ２３と、このカードバネ２３および可動鉄芯１１間に介設されるカード２４と、一対の架橋部２２２，２２２とベース２１の隔壁２１０との間に介設され、カード２２およびカードバネ２３を介してカード２４を可動鉄芯１１側に付勢する一対の復帰バネ２５，２５とを含み、可動接点２６が、可動鉄芯１１の退避時に一対の復帰バネ２５，２５により可動鉄芯１１側に付勢される場合に、ベース２１の隔壁２１０に圧接しても撓みの生じないような厚み寸法に設定されているので、カード２２，２４間に設けられたカードバネ２３の撓みにより接点圧力が確保されるため、可動接点１１の接触信頼性を高めることができ、また可動接点１１を撓みの生じないような厚み寸法に設定したことにより可動接点１１のベース２１に対する面的な密着度が高まるため、アイソレーション特性を良好にすることができる。さらに、一対の架橋部２２２，２２２とベース２１の隔壁２１０との間に一対の復帰バネ２５，２５を介設したことにより、カード２２の傾きを防止することができる。
【００５５】
（第２実施形態）
図５は本発明による第２実施形態の高周波スイッチにおけるカードおよびカードバネの斜視図である。
【００５６】
第２実施形態の高周波スイッチは、図５に示すように、第１実施形態との相違点として、カードバネ２３がカード２２の基部２２０側に屈曲するように塑性変形されていることを特徴とする。また、カードバネ２３の孔２３ａは、当該カードバネ２３の長手方向に伸びる長孔になっている。
【００５７】
第２実施形態によれば、カード２２の基部２２０の部分が、一対の架橋部２２２，２２２に対して、凹所になっているので、カードバネ２３を塑性変形することができ、接点圧力および動作特性の調整が可能となる。例えば、電磁石ブロック１０とベースブロック２０の状態に応じて調整を行い、調整後に電磁石ブロック１０とベースブロック２０とを固定することにより、組立てとともに接点圧力および動作特性の調整を完了することができる。
【００５８】
また、一対の架橋部２２２，２２２の各々には凸部２２２ａが形成されている一方、カードバネ２３の両端の各々には凸部２２２ａが填り込む孔（長孔）２３ａが穿設されているので、カードバネ２３を外して塑性変形することができるようになるため、接点圧力および動作特性の微調整が可能となり、生産性を高めることができる。
【００５９】
（第３実施形態）
図６は本発明による第３実施形態の高周波スイッチにおけるベースを上方から見た斜視図である。
【００６０】
第３実施形態の高周波スイッチは、図６に示すように、第１または第２実施形態との相違点として、ベース２１の上面２１１に、調整時に当該ベース２１と固定鉄芯１４との間に、例えば０．０５ｍｍ程度の厚みのスペーサＳを挿入するための凹部２１１ｂ，２１１ｃが形成されていることを特徴とする。
【００６１】
凹部２１１ｂ，２１１ｃのうち、一方の凹部２１１ｂは、一の側面と収納室Ｒ１との間に設けられた横断凹部になっている一方、他方の凹部２１１ｃは、収納室Ｒ１を挟んだ凹部２１１ｂとの対向位置の収納室Ｒ１縁部側に半円状の凹部として設けられている。また、凹部２１１ｂ，２１１ｃは、固定鉄芯１４のフランジ１４１部分が填り込むように寸法設定されている。
【００６２】
第３実施形態によれば、例えば、調整時に固定鉄芯１４とベース２１との間の凹部２１１ｂ，２１１ｃにスペーサＳを挿入し、接点導通時の調整後にスペーサＳを引き抜けば、スペーサＳの厚み分以上の押込量が見込めるため、接点圧力を接点押込量で調整することができる。このような調整は電磁石ブロック１０に対して個別に行うことができるので、生産性を向上させることができる。
【００６３】
（第４実施形態）
図７は本発明による第４実施形態の高周波スイッチにおけるベースブロックの一部を示す分解斜視図、図８は図７中のカードおよび可動接点を示す斜視図、図９は同可動接点を上方から見た斜視図、図１０は同可動接点を下方から見た斜視図である。
【００６４】
第４実施形態の高周波スイッチは、図７〜図１０に示すように、第３実施形態との相違点として、カード２２は成形品であり、カード２２の先端部２２１と可動接点２６との取付構造は、複数の角を持ち表裏逆入れ防止機能を有する凹凸嵌合構造になっており、可動接点２６は、表裏逆入れ防止機能による構造の非対称性によるインピーダンスのずれを補正するために幅寸法が調整されているとともに、カード２２の先端部２２１が当たる部分にローレット加工が施されていることを特徴とする。
【００６５】
より具体的には、可動接点２６の孔２６０ａが、四角形状の一の角を狭斜面二角にすることにより、５つの角を持ち表裏逆入れ防止機能を有する形状になっている一方、カード２２の先端部２２１がその孔２６０ａに丁度嵌入する形状になっている。
【００６６】
また、図１０に示すように、可動接点２６の中央部２６０における下面にローレット加工が施されている。
【００６７】
第４実施形態によれば、カード２２の先端部２２１と可動接点２６との取付構造が複数の角を持つ凹凸嵌合構造になっていることにより、各角同士が当たることで可動接点２６の回転を防止することができ、可動接点２６がコンタクト端子ブロック２７のコンタクト端子２７１にずれなく当たるため、接点の接触性能および高周波特性を向上させることができる。また、表裏逆入れ防止機能により、例えば可動接点２６の接触面側のみにＡｇ合金層を設けた場合に、その層が逆に設けられるのを防止することができる。さらに、可動接点２６におけるカード２２の先端部２２１が当たる部分（熱着部分）にローレット加工が施されているので、熱着時にカード２２の先端部２２１が可動接点２６のローレット加工面（図１０の２６０ｂ）に食い込むため、可動接点２６の回転をより好適に防止することができる。
【００６８】
なお、凹凸嵌合構造は高周波特性に影響がでないように極力小さくすることがより望ましい。
【００６９】
（第５実施形態）
図１１は本発明による第５実施形態の高周波スイッチにおけるコンタクト端子ブロックを示す図である。
【００７０】
第５実施形態の高周波スイッチは、図１１に示すように、第１から４実施形態のいずれかとの相違点として、コンタクト端子ブロック２７が、コンタクト端子２７１と、これを一体に保持するコンタクト端子ブロック本体２７０とによりなるインサート成形部品であり、コンタクト端子ブロック本体２７０が液晶ポリマー樹脂によりなることを特徴とする。
【００７１】
ここで、設計時において、コンタクト端子ブロック２７のコンタクト端子２７１を抜き加工により幅寸法を変更し、コンタクト端子ブロック本体２７０の誘電率に合わせてコンタクト端子２７１の幅が最適化される。
【００７２】
第５実施形態によれば、可動接点２６を介した一対のコンタクト端子２７１間における高周波電力伝送時に、液晶ポリマー樹脂による耐熱性によりコンタクト端子２７１の発熱に対応可能となり、インサート成形による保持強度の向上と相俟って、コンタクト端子ブロック本体２７０によってコンタクト端子２７１を強固に保持させることができる。
【００７３】
また、コンタクト端子２７１の幅がコンタクト端子ブロック本体２７０の誘電率に合わせて最適化されているので、コンタクト端子ブロックのインピーダンスの最適なマッチングが可能となり、高周波特性を良好にすることができる。
【００７４】
さらに、コンタクト端子２７１の内部側の一端が平板状で、外部側の他端が角ピン状であるので、外部からの引っ張り力に対する抜け止め効果がある。
【００７５】
（第６実施形態）
図１２は本発明による第６実施形態の高周波スイッチにおけるベースを上方から見た斜視図、図１３は同ベースを下方から見た斜視図である。
【００７６】
第６実施形態の高周波スイッチは、図１２，図１３に示すように、第３実施形態との相違点として、ベース２１が、底面２１２および一の側面２１３にそれぞれ当該ベース取付用のねじ孔２１２ｄ，２１２ｄおよびねじ孔２１３ａ，２１３ａを有し、一対のコンタクト端子ブロック２７におけるコンタクト端子２７１の平板状の一端と導通する角ピン状の他端が、それぞれベース２１の一の側面２１３の両側側の側面２１５，２１６から突出する断面四角状の角ピンであることを特徴とする。
【００７７】
第７実施形態によれば、図１４に示すように、プレート７の取付面に対して、ベース２１の底面２１２を載せる縦置きでも、ベース２１の一の側面２１３を載せる横置きでも、プレート７に設けられるプリント板（印刷回路基板）６にコンタクト端子２７１の他端を接続することが可能になる。また、横置きの場合、高さを低く抑えた取付けが可能となる。
【００７８】
（第７実施形態）
図１５は本発明による第７実施形態の高周波スイッチの説明図である。
【００７９】
第７実施形態の高周波スイッチは、図１５に示すように、第１から第６実施形態のいずれかとの相違点として、一対の継鉄１６，１６に代えて、これらと同寸法の平角リングの形状を形作り、磁石からなる一対のハーフ１９，１９を備えていることを特徴とする。
【００８０】
第１から第６実施形態では、フェールセーフ型の高周波スイッチであったのに対し、第７実施形態では、ラッチング型の高周波スイッチとなる。
【００８１】
（第８実施形態）
本発明による第８実施形態の高周波スイッチは、第１から第７実施形態のいずれかとの相違点として、可動鉄芯１１にはフッ素コーティング加工が施され、ボビン１２、カード２２，２４の各々が、フッ素添加の液晶ポリマー樹脂によりなることを特徴とする。
【００８２】
第８実施形態によれば、摺動摩擦による不安定動作の防止が可能となるため、可動接点２６の開閉寿命が安定し、長寿命化が可能となる。
【００８３】
【発明の効果】
以上のことから明らかなように、請求項１記載の発明は、電磁石ブロックとベースブロックとにブロック化し、これら電磁石ブロックとベースブロックとを固定してなる高周波スイッチであって、前記電磁石ブロックは、柱状の可動鉄芯と、この可動鉄芯を内部に収納する筒状のボビンと、このボビンの側周部に巻設された巻線と、継鉄と、この継鉄を介して、前記巻線が巻設された前記ボビンを保持するとともに、そのボビン内に前記可動鉄芯を進退自在の状態で保持するカバーとを備える一方、前記ベースブロックは、前記ボビン内の可動鉄芯の収納空間と連通する第１収納室、およびこの第１収納室に対し、隔壁で隔てられその隔壁に穿設された孔を介して連通する第２収納室を有するベースと、前記第１収納室に収納され、先端部が前記孔を介して前記第２収納室内に突出し前記可動鉄芯の動きに応じて進退自在となるカードを含む可動部と、前記第２収納室に収納され、前記カードの先端部に取り付けられた可動接点とを備えるとともに、前記第２収納室内に挿入された一端が前記可動接点と接離する端子部を少なくとも一対備えるので、電磁石部分が電磁石ブロックとして一体となるため、電磁石部分の側の寸法を安定させることができる。また、可動鉄芯の軸方向のばらつきが少なくなり、動作特性を安定させることができるとともに、生産性を向上させることができる。
【００８４】
請求項２記載の発明は、請求項１記載の高周波スイッチにおいて、前記可動部は、前記カードとして、基部から二股に分かれた一対の架橋部をさらに有する第１カードを含むとともに、この第１カードの一対の架橋部で保持される平板矩形状のカードバネと、このカードバネおよび前記可動鉄芯間に介設される第２カードと、前記一対の架橋部と前記ベースの隔壁との間に介設され、前記第１カードおよび前記カードバネを介して前記第２カードを前記可動鉄芯側に付勢する一対の復帰バネとを含み、前記可動接点は、前記可動鉄芯の退避時に前記一対の復帰バネにより前記可動鉄芯側に付勢される場合に、前記ベースの隔壁に圧接しても撓みの生じないような厚み寸法に設定されているので、第１カードと第２カードとの間に設けられたカードバネの撓みにより接点圧力が確保されるため、可動接点の接触信頼性を高めることができ、また可動接点を撓みの生じないような厚み寸法に設定したことにより、可動接点のベースに対する面的な密着度が高まるため、アイソレーション特性を良好にすることができる。さらに、一対の架橋部とベースの隔壁との間に一対の復帰バネを介設したことにより、第１カードの傾きを防止することができる。
【００８５】
請求項３記載の発明は、請求項２記載の高周波スイッチにおいて、前記カードの基部の部分は、前記一対の架橋部に対して、凹所になっており、前記カードバネは前記基部側に屈曲するように塑性変形されているので、カードバネを塑性変形することにより、接点圧力および動作特性の調整が可能となる。例えば、電磁石ブロックとベースブロックの状態に応じて調整を行い、調整後に電磁石ブロックとベースブロックとを固定することにより、組立てとともに接点圧力および動作特性の調整を完了することができる。
【００８６】
請求項４記載の発明は、請求項２または３記載の高周波スイッチにおいて、前記一対の架橋部の各々には凸部が形成されている一方、前記カードバネの両端の各々には前記凸部が填り込む長孔が穿設されているので、カードバネを外して塑性変形することができるようになるため、接点圧力および動作特性の微調整が可能となり、生産性を高めることができる。
【００８７】
請求項５記載の発明は、請求項２から４のいずれかに記載の高周波スイッチにおいて、前記電磁石ブロックは、前記第２カードを挿通する孔を有する固定鉄芯をさらに備え、前記継鉄は、前記固定鉄芯を嵌入するための孔が穿設された中央部に対して両端部が同一方向に屈曲する断面コ字状に形成され、前記ベースには、調整時に当該ベースと前記固定鉄芯との間にスペーサを挿入するための凹部が形成されているので、例えば、調整時に固定鉄芯とベースとの間の凹部にスペーサを挿入し、接点導通時の調整後にスペーサを引き抜けば、スペーサの厚み分以上の押込量が見込めるため、接点圧力を接点押込量で調整することができる。このような調整は電磁石ブロックに対して個別に行うことができるので、生産性を向上させることができる。
【００８８】
請求項６記載の発明は、請求項１から５のいずれかに記載の高周波スイッチにおいて、前記カードは成形品であり、前記カードの先端部と前記可動接点との取付構造は、複数の角を持ち表裏逆入れ防止機能を有する凹凸嵌合構造になっており、前記可動接点は、前記表裏逆入れ防止機能による構造の非対称性によるインピーダンスのずれを補正するために幅寸法が調整されているとともに、前記カードの先端部が当たる部分にローレット加工が施されているので、カードの先端部と可動接点との取付構造が複数の角を持つ凹凸嵌合構造になっていることにより、可動接点の回転を防止することができ、可動接点が端子部の一端にずれなく当たるため、接点の接触性能および高周波特性を向上させることができる。また、表裏逆入れ防止機能により、例えば可動接点の接触面側のみにＡｇ合金層を設けた場合に、その層が逆に設けられるのを防止することができる。さらに、可動接点におけるカードの先端部が当たる部分にローレット加工が施されているので、熱着時にカードの先端部が可動接点のローレット加工面に食い込むため、可動接点の回転をより好適に防止することができる。
【００８９】
請求項７記載の発明は、請求項１から６のいずれかに記載の高周波スイッチにおいて、前記端子部は、コンタクト端子と、これを一体に保持するコンタクト端子ブロック本体とによりなるインサート成形部品のコンタクト端子ブロックであり、前記コンタクト端子ブロック本体は液晶ポリマー樹脂によりなるので、可動接点を介した一対のコンタクト端子間における高周波電力伝送時に、液晶ポリマー樹脂による耐熱性によりコンタクト端子の発熱に対応可能となり、インサート成形による保持強度の向上と相俟って、コンタクト端子ブロック本体によってコンタクト端子を強固に保持させることができる。
【００９０】
請求項８記載の発明は、請求項１から７のいずれかに記載の高周波スイッチにおいて、前記ベースは、前記第２収納室側の底面から各側面が立設される角状に形成され、底面および一の側面に当該ベース取付用のねじ孔を有し、前記一対の端子部における前記一端と導通する他端は、それぞれ前記ベースの一の側面の両側側の側面から外部に突出する断面四角状の角ピンになっているので、所定の取付部の取付面に対して、ベースの底面を載せる縦置きでも、ベースの一の側面を載せる横置きでも、上記取付部に設けられるプリント板にコンタクト端子の他端を接続することが可能になる。また、横置きの場合、高さを低く抑えた取付けが可能となる。
【００９１】
請求項９記載の発明は、請求項１から８のいずれかに記載の高周波スイッチにおいて、前記電磁石ブロックは、前記ボビンの側周部の一部に挿通される輪状の継鉄または磁石をさらに備えるので、可動鉄芯の一部に対して、継鉄を挿通することによりフェールセーフ型の高周波スイッチを得ることができ、磁石を挿通することによりラッチング型の高周波スイッチを得ることができる。
【００９２】
請求項１０記載の発明は、請求項１から８のいずれかに記載の高周波スイッチにおいて、前記可動鉄芯にはフッ素コーティング加工が施され、前記ボビン、第１カードおよび第２カードの各々は、フッ素添加の液晶ポリマー樹脂によりなるので、摺動摩擦による不安定動作の防止が可能となるため、可動接点の開閉寿命が安定し、長寿命化が可能となる。
【００９３】
請求項１１記載の発明は、請求項７記載の高周波スイッチの設計方法であって、設計時に、前記コンタクト端子ブロックのコンタクト端子を抜き加工により幅寸法を変更し、前記コンタクト端子ブロック本体の誘電率に合わせて前記コンタクト端子の幅を最適化するので、コンタクト端子ブロックのインピーダンスの最適なマッチングが可能となり、高周波特性を良好にすることができる。
【図面の簡単な説明】
【図１】本発明による第１実施形態の高周波スイッチの断面図である。
【図２】同高周波スイッチの分解斜視図である。
【図３】図１，図２中のベースを上方から見た斜視図である。
【図４】同ベースを下方から見た図である。
【図５】本発明による第２実施形態の高周波スイッチにおけるカードおよびカードバネの斜視図である。
【図６】本発明による第３実施形態の高周波スイッチにおけるベースを上方から見た斜視図である。
【図７】本発明による第４実施形態の高周波スイッチにおけるベースブロックの一部を示す分解斜視図である。
【図８】図７中のカードおよび可動接点を示す斜視図である。
【図９】同可動接点を上方から見た斜視図である。
【図１０】同可動接点を下方から見た斜視図である。
【図１１】本発明による第５実施形態の高周波スイッチにおけるコンタクト端子ブロックを示す図である。
【図１２】本発明による第６実施形態の高周波スイッチにおけるベースを上方から見た斜視図である。
【図１３】同ベースを下方から見た斜視図である。
【図１４】図１２の高周波スイッチを縦置きおよび横置きした様子を示す図である。
【図１５】本発明による第７実施形態の高周波スイッチの説明図である。
【図１６】従来の高周波スイッチを示す断面図である。
【図１７】別の従来の高周波スイッチを示す断面図である。
【符号の説明】
１０  電磁石ブロック
１１  可動鉄芯
１２  ボビン
１３  巻線
１４  固定鉄芯
１５  継鉄
１６  継鉄
１７  プレート
１８  カバー
１９  ハーフ（磁石）
２０  ベースブロック
２１  ベース
２１０  隔壁
ＭＰ  可動部
２２  カード
２３  カードバネ
２４  カード
２５  復帰バネ
２６  可動接点
２７  コンタクト端子ブロック
２８  サブベース
【図１】
2004235109.tif 000003
【図２】
2004235109.tif 000004
【図３】
2004235109.tif 000005
【図４】
2004235109.tif 000006
【図５】
2004235109.tif 000007
【図６】
2004235109.tif 000008
【図７】
2004235109.tif 000009
【図８】
2004235109.tif 000010
【図９】
2004235109.tif 000011
【図１０】
2004235109.tif 000012
【図１１】
2004235109.tif 000013
【図１２】
2004235109.tif 000014
【図１３】
2004235109.tif 000015
【図１４】
2004235109.tif 000016
【図１５】
2004235109.tif 000017
【図１６】
2004235109.tif 000018
【図１７】
2004235109.tif 000019